(57)【要約】【課題】接着剤が膨潤することにより内継手又は外継手に変形が生じ、軒樋の表裏面に隙間が発生して雨漏れが生じたりすることのない軒樋の接続構造を提供するものである。【解決手段】相対向する軒樋本体１ａ、１ｂからなる軒樋２ａ、２ｂの先端を外継手３の内部に載置するとともにこの外継手３の先端に設けられた被係止部４に略外継手３の内面形状に合致する内継手５の係止部６を挿着して軒樋２ａ、２ｂの先端同士を挟持し、この外継手３の前後方向の略中央部に軒樋２ａ、２ｂの先端が当接する突出部７を形成するとともにこの外継手３の突出部７の上面８を内継手５の裏面で挟持して接続するものである。【選択図】　　　　図１
2004084230.tif 000002
【特許請求の範囲】
【請求項１】
相対向する軒樋本体の先端を外継手の内部に載置するとともに該外継手の先端に設けられた被係止部に略外継手の内面形状に合致する内継手の係止部を挿着して軒樋先端同士を挟持する軒樋の接続構造において、前記外継手の略中央部に軒樋の先端が当接する突出部を形成するとともに該外継手の突出部を内継手の裏面で挟持することを特徴とする軒樋の接続構造。
【請求項２】
上記外継手の突出部の高さが軒樋の板厚と略同一になるように形成することを特徴とする請求項１記載の軒樋の接続構造。
【請求項３】
相対向する軒樋本体の先端を外継手の内部に載置するとともに該外継手の先端に設けられた被係止部に略外継手の内面形状に合致する内継手の係止部を挿着して軒樋先端同士を挟持する軒樋の接続構造において、前記内継手の略中央部に軒樋の先端が当接する突出部を形成するとともに該内継手の突出部を外継手の上面で挟持することを特徴とする軒樋の接続構造。
【請求項４】
上記内継手の突出部の高さが軒樋の板厚と略同一になるように形成することを特徴とする請求項３記載の軒樋の接続構造。
【請求項５】
上記内継手又は外継手の突出部の前後に接着剤を介して軒樋を接着挟持することを特徴とする請求項１又は請求項３記載のいずれか１項に記載の軒樋の接続構造。
【発明の詳細な説明】
【０００１】
【発明の属する技術分野】
本発明は、相対向する軒樋本体の先端を外継手の内部に載置するとともに該外継手の先端に設けられた被係止部に略外継手の内面形状に合致する内継手の係止部を挿着して軒樋先端同士を挟持して接続する軒樋の接続構造に関するものである。
【０００２】
【従来の技術】
従来、樋用伸縮継手において、外側継手本体の一端内周に内側継手がスライド自在に嵌め合わされ、外側継手本体の他端内周に樋の接続部が設けられ、この接続部と内側継手本体を嵌め合わせた部分との間の外側継手本体内周に幅方向に連続するストッパ壁が突設され、このストッパ壁よりも内側継手本体側に内側継手本体のスライドスペースが確保された樋用伸縮継手において、前記ストッパ壁の先端を接続部側に曲げたものであり、接着剤がこのストッパ壁を越えてスライドスペース側に流れ込まないようにしたものがある。（例えば、特許文献１）
【０００３】
【特許文献１】実開平７−１３９４４号（１−４頁、図１、図２）
【０００４】
従来公知の軒樋の接続構造において、例えば図８及び図９に示したように、相対向する軒樋本体２０の先端を外継手２１の内部に載置するとともにこの外継手２１の先端に設けられた被係止部２３に略外継手２１の内面形状に合致する内継手２４の係止部２５を挿着して軒樋２６，２６の先端同士を挟持して接続するものが汎用されていた。
【０００５】
このとき、外継手２１の内底面２７がフラットに形成されているために軒樋２６，２６の先端が中途で止まるようにして接続されていた。そのために、この外継手２１の内底面２７と軒樋２６，２６の内底面２７を押圧する内継手２４の裏面との間で接着剤溜り２８ができ、この接着剤が膨潤することにより内継手２４又は外継手２１に変形が生じ軒樋２６，２６の表裏面に隙間が発生し雨漏れが生じたりするという問題があった。
【０００６】
【発明が解決しようとする課題】
本発明は上記問題点の解決を目的とするものであり、接着剤が膨潤することにより内継手又は外継手に変形が生じ、軒樋の表裏面に隙間が発生して、この隙間により雨漏れが生じたりすることのない軒樋の接続構造を提供するものである。
【課題を解決するための手段】
【０００７】
本発明の請求項１記載の軒樋の接続構造は、相対向する軒樋本体の先端を外継手の内部に載置するとともに該外継手の先端に設けられた被係止部に略外継手の内面形状に合致する内継手の係止部を挿着して軒樋先端同士を挟持する軒樋の接続構造において、前記外継手の略中央部に軒樋の先端が当接する突出部を形成するとともに該外継手の突出部を内継手の裏面で挟持することを特徴とする。
【０００８】
したがって、軒樋の先端が外継手に設けられた突出部に当接するように接続されるので、従来のような接着剤溜りとなる空間を生じることもないので接着剤を用いて接続しても内継手又は外継手に変形が生じないようになり、雨漏れが生じたりすることのないものである。
【０００９】
本発明の請求項２記載の軒樋の接続構造は、請求項１記載の外継手の突出部の高さが軒樋の板厚と略同一になるように形成することを特徴とするものである。したがって、外継手の突出部が略同一になるので、内継手又は外継手と、軒樋の表裏面に隙間が発生することもない。
【００１０】
本発明の請求項３記載の軒樋の接続構造は、相対向する軒樋本体の先端を外継手の内部に載置するとともに該外継手の先端に設けられた被係止部に略外継手の内面形状に合致する内継手の係止部を挿着して軒樋先端同士を挟持する軒樋の接続構造において、前記内継手の略中央部に軒樋の先端が当接する突出部を形成するとともに該内継手の突出部を外継手の上面で挟持することを特徴とするものである。
【００１１】
したがって、軒樋の先端が内継手に設けられた突出部に当接するように接続されるので、従来のような接着剤溜りとなる空間を生じることもないので接着剤を用いて接続しても内継手又は外継手に変形が生じないようになり、雨漏れが生じたりすることのないものである。
【００１２】
本発明の請求項４記載の軒樋の接続構造は、請求項３記載の内継手の突出部の高さが軒樋の板厚と略同一になるように形成することを特徴とするものである。したがって、内継手の突出部が略同一になるので、内継手又は外継手と、軒樋の表裏面に隙間が発生することもない。
【００１３】
本発明の請求項５記載の軒樋の接続構造は、請求項１又は請求項３記載のいずれか１項に記載の内継手又は外継手の突出部の前後に接着剤を介して軒樋を接着挟持することを特徴とするものである。
【００１４】
したがって、接着剤溜りとなる空間を生じることもないので接着剤を用いて接続しても内継手又は外継手に変形が生じないようになり、雨漏れが生じたりすることのないものである。
【００１５】
【発明の実施の形態】
図１乃至図７に示したように、本発明の実施形態に係わる軒樋の接続構造であって、以下に説明する。
【００１６】
本発明の一形態の軒樋の接続構造は、図１乃至図４に示したように、相対向する前面側が高く形成された略Ｕ字状をした軒樋本体１ａ、１ｂからなる軒樋２ａ、２ｂの先端を外継手３の内部に載置するとともにこの外継手３の先端に設けられた被係止部４に略外継手３の内面形状に合致する内継手５の係止部６を挿着して軒樋２ａ、２ｂの先端同士を挟持するものである。このとき、図４に示したように、外継手３の前後方向の略中央部に軒樋２ａ、２ｂの先端が当接する突出部７を形成するとともにこの外継手３の突出部７の上面を内継手５の裏面で挟持して接続するものである。
【００１７】
さらに、この外継手３の突出部７の高さＨが軒樋２ａ、２ｂの板厚と略同一になるように形成することにより、外継手３の突出部７が略同一になるので、内継手５又は外継手３と、軒樋２ａ、２ｂの表裏面に隙間が発生しないように設計されている。
【００１８】
さらに又、内継手５又は外継手３の突出部７の左右に接着剤を介して軒樋２ａ、２ｂを接着挟持して接続することにより、接着剤溜りとなる空間を生じることもない。
【００１９】
本発明の異なる形態の軒樋の接続構造は、図５乃至図７に示したように、相対向する前面側が高く形成された略Ｕ字状をした軒樋本体１ａ、１ｂからなる軒樋２ａ、２ｂの先端を外継手３の内部に載置するとともにこの外継手３の先端に設けられた被係止部４に略外継手３の内面形状に合致する内継手５の係止部６を挿着して軒樋２ａ、２ｂの先端同士を挟持するものである。このとき、内継手５の前後方向の略中央部に軒樋２ａ、２ｂの先端が当接する突出部８を形成するとともにこの内継手５の突出部８の下面９を外継手３の上面で挟持して接続するものである。
【００２０】
さらに、この内継手５の突出部８の高さが軒樋２ａ、２ｂの板厚と略同一になるように形成することにより、内継手５の突出部８が略同一になるので、内継手５又は外継手３と、軒樋２ａ、２ｂの表裏面に隙間が発生しないように設計されている。
【００２１】
さらに又、内継手５又は外継手３の突出部８の前後に接着剤を介して軒樋２ａ、２ｂを接着挟持して接続することにより、接着剤溜りとなる空間を生じることもない。
【００２２】
以下、本発明の一実施例に係わる図１乃至図４に基づいて詳細に説明する。
図１は、本発明の軒樋の接続構造を示す分解した斜視図、図２は、本発明の一実施例に係わる内継手の斜視図、図３は、本発明の一実施例に係わる外継手の斜視図、図４は、本発明の一実施例に係わる内継手と外継手で軒樋を挟持して接続した軒樋の接続構造の要部の断面図である。
【００２３】
図１において、軒樋２ａ、２ｂは、塩化ビニール樹脂、アクリル樹脂、ポリカーボネート樹脂等の前面側が高く形成された略Ｕ字状をした軒樋本体１ａ、１ｂからなるものである。この軒樋２ａ、２ｂの先端部には、軒樋２ａ、２ｂの外面形状に沿った図３に示した外継手３の先端の被係止部４の上部が軒樋２ａ、２ｂの耳部１１に係止される係止部１０が設けられている。この外継手３の略中央部に軒樋２ａ、２ｂの先端が当接する断面四角形状をした突出部７が形成されている。このとき、図２に示した内継手５は、外継手３の先端に設けられた被係止部４に略外継手３の内面形状に合致するように形成され、この内継手５の先端に設けられている係止部６を挿着するようにしている。これらの外継手３及び内継手５は、軒樋２ａ、２ｂと同様の合成樹脂で形成されているので弾力性に富むもので弾着するようにして係止される。尚、外継手３の突出部７は、中央部に接着剤溜り（空間）が生じないような形状であれば三角、丸形状であっても良い。
【００２４】
そして、この外継手３の突出部７の高さＨが軒樋２ａ、２ｂの板厚と略同一になるように形成されることにより、外継手３の突出部７が略同一になるので、内継手５又は外継手３と、軒樋２ａ、２ｂの表裏面に隙間が発生しないように設計される。そのために、外継手３の突出部７の左右に接着剤を介して軒樋２ａ、２ｂを接着挟持して接続することにより、接着剤溜りとなる空間を生じることもない。
【００２５】
したがって、軒樋２ａ、２ｂの先端が外継手３に設けられた突出部７に当接するように接続されるので、従来のような接着剤溜りとなる空間を生じることもないので接着剤を用いて接続しても外継手に変形が生じないようになり、雨漏れが生じたりすることのないものである。
さらに、異なる実施例である、図５乃至図７に基づいて詳細に説明する。
図５は、本発明の異なる実施例に係わる内継手の斜視図、図６は、本発明の異なる実施例に係わる外継手の斜視図、図７は、本発明の異なる実施例に係わる内継手と外継手で軒樋を挟持して接続した軒樋の接続構造の要部の断面図である。
【００２６】
図１に示した軒樋２ａ、２ｂと同様に、塩化ビニール樹脂、アクリル樹脂、ポリカーボネート樹脂等の前面側が高く形成された略Ｕ字状をした軒樋本体１ａ、１ｂからなるものである。この軒樋２ａ、２ｂの先端部には、軒樋２ａ、２ｂの外面形状に沿った図６に示した外継手３の先端の被係止部４の上部が軒樋２ａ、２ｂの耳部１１に係止される係止部１０が設けられている。このとき、図５に示した内継手５は、外継手３の先端に設けられた被係止部４に略外継手３の内面形状に合致するように形成され、この内継手５の先端に設けられている係止部６を挿着するようにしている。この内継手５の略中央部に軒樋２ａ、２ｂの先端が当接する突出部８が形成されている。
これらの外継手３及び内継手５は、軒樋２ａ、２ｂと同様の合成樹脂で形成されているので弾力性に富むもので弾着するようにして係止される。尚、内継手５の突出部８は、中央部に接着剤溜り（空間）が生じないような形状であれば三角、丸形状であっても良い。
【００２７】
そして、この内継手５の突出部８の高さＨが軒樋２ａ、２ｂの板厚と略同一になるように形成することにより、内継手５の突出部８が略同一になるので、内継手５又は外継手３と、軒樋２ａ、２ｂの表裏面に隙間が発生しないように設計される。そのために、内継手５の突出部８の左右に接着剤を介して軒樋２ａ、２ｂを接着挟持して接続することにより、接着剤溜りとなる空間を生じることもない。
【００２８】
したがって、軒樋２ａ、２ｂの先端が内継手５に設けられた突出部８に当接するように接続されるので、従来のような接着剤溜りとなる空間を生じることもないので接着剤を用いて接続しても外継手に変形が生じないようになり、雨漏れが生じたりすることのないものである。
【００２９】
【発明の効果】
上述の如く、本発明の請求項１記載の軒樋の接続構造は、相対向する軒樋本体の先端を外継手の内部に載置するとともにこの外継手の先端に設けられた被係止部に略外継手の内面形状に合致する内継手の係止部を挿着して軒樋先端同士を挟持する軒樋の接続構造において、前記外継手の略中央部に軒樋の先端が当接する突出部を形成するとともにこの外継手の突出部を内継手の裏面で挟持する用にしているので、軒樋の先端が外継手に設けられた突出部に当接するように接続され、従来のような接着剤溜りとなる空間を生じることもないので接着剤を用いて接続しても内継手又は外継手に変形が生じないようになり、雨漏れが生じたりすることのないものである。
【００３０】
本発明の請求項２記載の軒樋の接続構造は、外継手の突出部の高さが軒樋の板厚と略同一になるように形成されるので、外継手の突出部が略同一になり、内継手又は外継手と、軒樋の表裏面に隙間が発生することもない。
【００３１】
本発明の請求項３記載の軒樋の接続構造は、相対向する軒樋本体の先端を外継手の内部に載置するとともにこの外継手の先端に設けられた被係止部に略外継手の内面形状に合致する内継手の係止部を挿着して軒樋先端同士を挟持する軒樋の接続構造において、前記内継手の略中央部に軒樋の先端が当接する突出部を形成するとともにこの内継手の突出部を外継手の上面で挟持するようにしているので、軒樋の先端が内継手に設けられた突出部に当接するように接続され、従来のような接着剤溜りとなる空間を生じることもないので接着剤を用いて接続しても内継手又は外継手に変形が生じないようになり、雨漏れが生じたりすることのないものである。
【００３２】
本発明の請求項４記載の軒樋の接続構造は、内継手の突出部の高さが軒樋の板厚と略同一になるように形成されるので、内継手の突出部が略同一になるので、内継手又は外継手と、軒樋の表裏面に隙間が発生することもない。
【００３３】
本発明の請求項５記載の軒樋の接続構造は、内継手又は外継手の突出部の前後に接着剤を介して軒樋を接着挟持して接続しても、接着剤溜りとなる空間を生じることもないので接着剤を用いて接続しても内継手又は外継手に変形が生じないようになり、雨漏れが生じたりすることのないものである。
【図面の簡単な説明】
【図１】本発明の一実施例に係わる軒樋の接続構造を示す分解した斜視図である。
【図２】本発明の一実施例に係わる内継手の斜視図である。
【図３】本発明の一実施例に係わる外継手の斜視図である。
【図４】本発明の一実施例に係わる内継手と外継手で軒樋を挟持して接続した軒樋の接続構造の要部の断面図である。
【図５】本発明の異なる実施例に係わる内継手の斜視図である。
【図６】本発明の異なる実施例に係わる外継手の斜視図である。
【図７】本発明の異なる実施例に係わる内継手と外継手で軒樋を挟持して接続した軒樋の接続構造の要部の断面図である。
【図８】従来の軒樋の接続構造を示す分解した斜視図である。
【図９】従来の内継手と外継手で軒樋を挟持して接続した軒樋の接続構造の要部の断面図である。
【符号の説明】
１　　　軒樋本体
２　　　軒樋
３　　　外継手
４　　　被係止部
５　　　内継手
６　　　係止部
７　　　突出部
８　　　突出部
９　　　下面
１０　　係止部
１１　　耳部
【図１】
2004084230.tif 000003
【図２】
2004084230.tif 000004
【図３】
2004084230.tif 000005
【図４】
2004084230.tif 000006
【図５】
2004084230.tif 000007
【図６】
2004084230.tif 000008
【図７】
2004084230.tif 000009
【図８】
2004084230.tif 000010
【図９】
2004084230.tif 000011